(57)【要約】      （修正有）【課題】潮解性吸湿剤の残量をはっきりと確認することが出来、潮解性吸湿剤の無駄が発生しない除湿器用容器及びこれを使用した除湿器を提供する。【解決手段】潮解性吸湿剤２を収容する受け皿３の底面３ａを境にして容器本体１が、潮解性吸湿剤２を収容する上部空間部１ａと、潮解性吸湿剤２の潮解液を貯留する下部空間部１ｂとに２分され、上部空間部１ａの容器本体１は透明とされ、下部空間部１ｂの容器本体１は半透明または不透明とされる。【選択図】図１
0003156836.tif 000002
【実用新案登録請求の範囲】
【請求項１】
潮解性吸湿剤を収容する受け皿の底面を境にして容器本体が、潮解性吸湿剤を収容する上部空間部と、前記潮解性吸湿剤の潮解液を貯留する下部空間部とに２分され、前記上部空間部の容器本体は透明とされ、前記下部空間部の容器本体は半透明または不透明とされたことを特徴とする除湿器用容器。
【請求項２】
前記下部空間部の容器本体周面にシボ加工を施して半透明または不透明としたことを特徴とする請求項１に記載の除湿器用容器。
【請求項３】
前記容器本体の内周面で前記受け皿の底面が対応する位置に凹部と凸部からなる段部が形成され、前記凹部内に前記受け皿の底面下部に設けられた脚部が嵌合されることを特徴とする請求項１または請求項２に記載の除湿器用容器。
【請求項４】
請求項１〜３の何れか１項に記載の除湿器用容器を用いた除湿器であって、
前記受け皿が前記容器本体の内周面に交差する傾斜面を有する断面逆Ｖ字形状で構成されたことを特徴とする除湿器。
【請求項５】
前記受け皿の傾斜面に前記潮解性吸湿剤の減少に伴って現れる残量表示手段を設けたことを特徴とする請求項４に記載の除湿器。
【考案の詳細な説明】
【技術分野】
【０００１】
本考案は、湿気を取る除湿器に使用される容器に関するものであり、特に、食品庫、衣装タンス、家具、室内等で利用される除湿器用容器及びこれを使用した除湿器に関するものである。
【背景技術】
【０００２】
従来、塩化カルシウム、塩化マグネシウム等の潮解性吸湿剤を用いて押入やタンス等の収納空間の湿気を取り湿度を低下させる簡易タイプの除湿器が市販され、広く普及している。例えば、特許文献１〜８には、潮解性吸湿剤を収容する受け皿の中央部に突起部が設けられたものが提案されており、特許文献９、１０には、潮解性吸湿剤を収容する受け皿が断面Ｖ字形状に形成されたものが提案されている。一方、特許文献１１には、容器の周面にシボ加工を施して半透明とし吸液芯を隠蔽した芳香剤等の揮散器が提案されている。
【先行技術文献】
【特許文献】
【０００３】
【特許文献１】実用新案登録第３００４５１６号公報
【特許文献２】実開平６−７８２５号公報
【特許文献３】特開平８−１０５５３号公報
【特許文献４】特開２００２−７９０４２号公報
【特許文献５】特開平８−２０６４４０号公報
【特許文献６】特開平７−３２８３７１号公報
【特許文献７】特開平８−２４５５６号公報
【特許文献８】特開平９−５７０４５号公報
【特許文献９】特開平１１−１９７４３８号公報
【特許文献１０】特開２００９−７８２０７号公報
【特許文献１１】特開平１１−１９６９３０号公報
【考案の概要】
【考案が解決しようとする課題】
【０００４】
しかしながら、前述の従来例では、潮解性吸湿剤の残量をはっきりと確認することが出来ず、潮解性吸湿剤が残存していても吸水した潮解液の量を目安にして取り替えていたため潮解性吸湿剤の無駄が発生していた。
【０００５】
本考案は前記課題を解決するものであり、その目的とするところは、潮解性吸湿剤の残量をはっきりと確認することが出来、潮解性吸湿剤の無駄が発生しない除湿器用容器及びこれを使用した除湿器を提供せんとするものである。
【課題を解決するための手段】
【０００６】
前記目的を達成するための本考案に係る除湿器用容器の第１の構成は、潮解性吸湿剤を収容する受け皿の底面を境にして容器本体が、潮解性吸湿剤を収容する上部空間部と、前記潮解性吸湿剤の潮解液を貯留する下部空間部とに２分され、前記上部空間部の容器本体は透明とされ、前記下部空間部の容器本体は半透明または不透明とされたことを特徴とする。
【０００７】
また、本考案に係る除湿器用容器の第２の構成は、前記第１の構成において、前記下部空間部の容器本体周面にシボ加工を施して半透明または不透明としたことを特徴とする。
【０００８】
また、本考案に係る除湿器用容器の第３の構成は、前記第１、第２の構成において、前記容器本体の内周面で前記受け皿の底面が対応する位置に凹部と凸部からなる段部が形成され、前記凹部内に前記受け皿の底面下部に設けられた脚部が嵌合されることを特徴とする。
【０００９】
また、本考案に係る除湿器の第１の構成は、前記第１〜第３の構成の除湿器用容器を用いた除湿器であって、前記受け皿が前記容器本体の内周面に交差する傾斜面を有する断面逆Ｖ字形状で構成されたことを特徴とする。
【００１０】
また、本考案に係る除湿器の第２の構成は、前記第１の構成の除湿器において、前記受け皿の傾斜面に前記潮解性吸湿剤の減少に伴って現れる残量表示手段を設けたことを特徴とする。
【考案の効果】
【００１１】
本考案に係る除湿器用容器の第１の構成によれば、上部空間部の容器本体が透明であるため受け皿に収容された潮解性吸湿剤がはっきりと目視でき、潮解性吸湿剤の残量をはっきりと確認することが出来る。また、下部空間部の容器本体が半透明または不透明とされたことで、下部空間部に貯留された潮解性吸湿剤の潮解液を覆い隠して見栄えがよい。
【００１２】
本考案に係る除湿器用容器の第２の構成によれば、シボ加工により同一容器の下部空間部のみを半透明または不透明とすることが出来る。また、シボ面は滑り止めとしても作用するため滑り難く持ち易い。
【００１３】
本考案に係る除湿器用容器の第３の構成によれば、受け皿の底面下部に設けられた脚部が前記凹部内に嵌合されることで、容器本体を傾けても受け皿が外れることがない。
【００１４】
本考案に係る除湿器の第１の構成によれば、受け皿が容器本体の内周面に交差する傾斜面を有する断面逆Ｖ字形状で構成されたことで潮解性吸湿剤の残量が減少するにつれて該潮解性吸湿剤の上面の高さの変化が増加して減量状態が分かり易い。
【００１５】
本考案に係る除湿器の第２の構成によれば、受け皿の傾斜面に潮解性吸湿剤の減少に伴って現れる残量表示手段を設けたことで残量表示手段の出現により取り替え時期を報知することが出来る。
【図面の簡単な説明】
【００１６】
【図１】本考案に係る除湿器の構成を示す斜視説明図である。
【図２】本考案に係る除湿器の構成を示す分解斜視図である。
【図３】本考案に係る除湿器において潮解性吸湿剤の残量が減少する様子を説明する図である。
【図４】本考案に係る除湿器用容器の構成を示す断面説明図である。
【考案を実施するための形態】
【００１７】
図により本考案に係る除湿器の一実施形態を具体的に説明する。図１〜図４において、１は除湿器の容器本体であり、潮解性吸湿剤２を収容する受け皿３の底面３ａを境にして容器本体１が、潮解性吸湿剤２を収容する上部空間部１ａと、潮解性吸湿剤２の潮解液４を貯留する下部空間部１ｂとに２分され、上部空間部１ａの容器本体１は透明とされ、下部空間部１ｂの容器本体１は半透明または不透明とされる。
【００１８】
容器本体１の成形方法は、射出成形法、中空成形法、真空成形法等の手段を任意に選択でき、特に限定されるものではない。しかし、容器本体１の肉厚を薄くしたり、透明性をよくしたりする場合は真空成形法が最適である。また、例えば、熱可塑性のプラスチックシートをプラグに挟み、シートの両面または片面から加熱軟化させたものを、多くの小孔のある凸型または凹型の金型の上に載せ、型の反対側から小孔を通して空気を抜き、シートを金型に密着せしめた後、冷却して取り出す真空成形法や、該真空成形法と中空成形との中間的なもので、加熱軟化させたシートを真空成形する代わりに圧縮空気で吹き込み成形する圧空成形法等を用いてもよい。
【００１９】
本実施形態の容器本体１はブロー成型により製作した場合の一例であり、図４に示したように、受け皿３の底面３ａに対応する位置に凹部１ｆと凸部１ｄとを有する段部が形成され、該凹部１ｆ内に受け皿３の底面３ａの下部に設けられた脚部3a1が挿入されて嵌合している。これにより容器本体１を傾けても受け皿３が外れることが無い。凹部１ｆと凸部１ｄとを有する段部は本実施形態のように容器本体１の全周に設けても良いし、周の一部に設けても良い。尚、受け皿３の底面３ａが配置される位置に対応して容器本体１の内周面１ｃにリブを立設し、該リブの支持面上に受け皿３の底面３ａを載置して受け皿３を支持することでも良い。上部空間部１ａの容器本体１と、下部空間部１ｂの容器本体１とはそれぞれ適度なテーパを設けてあり、容器本体１の開口部及び底部には重なり防止用の段部１ｇ，１ｈが設けられている。これにより容器本体１相互を重ねて梱包する際に容器本体１相互の重なりを深くして嵩を小さくすると共に、重なりによる真空状態を緩和して相互に引き抜き易くしている。これにより容器本体１の梱包資材や輸送コストの低減を図ることができる。
【００２０】
上部空間部１ａの容器本体１が透明であるため受け皿３に収容された潮解性吸湿剤２がはっきりと目視でき、潮解性吸湿剤２の残量をはっきりと確認することが出来る。また、下部空間部１ｂの容器本体１が半透明または不透明とされたことで、下部空間部１ｂに貯留された潮解性吸湿剤２の潮解液４を覆い隠して見栄えがよい。
【００２１】
潮解性吸湿剤２としては、塩化カルシウム、塩化マグネシウム、塩化リチウム、臭化リチウム、酢酸カリウム、リン酸ナトリウム、ウルトラリン酸ナトリウムの中から選ばれた１種または２種以上の潮解性吸湿剤を使用可能である。
【００２２】
下部空間部１ｂの容器本体１の周面はシボ加工を施して半透明または不透明とすることが出来る。ここで、シボ加工とは細やかな凹凸をつける技法のことで射出成形では一般的に使用される。シボ加工により同一容器の下部空間部１ｂのみを半透明または不透明とすることが出来る。また、シボ面は滑り止めとしても作用するため滑り難く持ち易い。
【００２３】
シボ加工は、成形金型の表面に大きさの揃った砂を吹き付ける（サンドブラスト）、或いは、放電加工を施し細かなキズを付けて成形金型の表面に微細な凹凸をつくることで作られる。放電加工の加工条件は、サンドブラストによるシボ加工の状態を基準にして設定される。シボには工業規格のような統一規格は存在せず、各メーカーが独自の規格を持っており、見本の表面状態を基準にして規格を定めている。シボ面の粗密や深さを制御する因子は、サンドブラストにおいては吹き付ける砂の量、吹き付け時の圧力であり、放電加工においては、放電電極の成形金型表面からの距離、成形金型表面に沿った放電電極の移動速度、電圧、電流である。
【００２４】
基本的には、シボ加工は、削る溝の深さ、言い換えれば、成形品表面の凸の高さで制御されるものである。サンドブラストに使用される砂は、ＪＩＳ  Ｒ６００１研磨剤粒度で規定されている研磨剤である。ＪＩＳ規格の粒度と深さは相関関係があり、溝の深さを決めると研磨剤の粒度が決まる。一例を挙げると、７ミクロンから１０ミクロンでは研磨剤粒度＃４６、３０ミクロンでは研磨剤粒度＃２０、５０ミクロンでは研磨剤粒度＃１４の研磨剤を用いる。表面に現れる粗、密の状態は、研磨剤の粒の大きさと相関関係にあり、溝の深さが浅いものが表面密なシボとなり、溝の深いものが表面粗なシボとなる。
【００２５】
受け皿３は、潮解性吸湿剤２の外径よりも小さな孔或いはスリットを有するザル状で形成されており、容器本体１の内周面１ｃに交差する傾斜面３ｂを有する断面逆Ｖ字形状で構成されている。受け皿３が容器本体１の内周面１ｃに交差する傾斜面３ｂを有する断面逆Ｖ字形状で構成されたことで潮解性吸湿剤２の残量が減少するにつれて該潮解性吸湿剤２の上面２ａの高さの変化が増加して減量状態が分かり易い。
【００２６】
受け皿３の天端部３ｃにも潮解性吸湿剤２の外径よりも小さな孔或いはスリットが形成されており、受け皿３の傾斜面３ｂと容器本体１の内周面１ｃとにより形成された収容部５内に収容された潮解性吸湿剤２の上面２ａが受け皿３の天端部３ｃよりも低い高さまで収容され、図３（ａ），（ｂ）に示すように、天端部３ｃに設けられた孔或いはスリットを通気口として侵入した空気中の湿気が受け皿３の傾斜面３ｂに設けられた孔或いはスリットを通気口として潮解性吸湿剤２の傾斜面２ｂに接触して潮解液４が傾斜面３ｂに設けられた孔或いはスリットから下部空間部１ｂの容器本体１内に流れ出て貯留される。
【００２７】
受け皿３の傾斜面３ｂには潮解性吸湿剤２の減少に伴って現れる残量表示手段となる取替えライン６が設けられている。このように、受け皿３の傾斜面３ｂに潮解性吸湿剤２の減少に伴って現れる取替えライン６を設けたことで、図３（ｃ）に示すように、取替えライン６の出現により取り替え時期を報知することが出来る。
【００２８】
容器本体１の上端面１ｅには透湿防水性フィルム７が熱溶着される。透湿防水性フィルム７の一例としては、微多孔性熱可塑性樹脂シートが好ましい。この微多孔性熱可塑性樹脂シートは、無機充填剤を含有した熱可塑性樹脂シートを成形後に延伸することにより製造され、微細孔が多数形成されたものである。この微多孔性熱可塑性樹脂シートの成形に用いる熱可塑性樹脂としては、ポリエチレン、ポリプロピレン等のポリオレフィン、あるいはポリ塩化ビニル、ポリエステル、ポリアミド等があげられる。この微多孔性熱可塑性樹脂シートからなる透湿防水性フィルムには、積水化学（株）製の商品名「セルポア」、徳山曹達（株）製の商品名「ＮＦシート」、ダイニック（株）製の商品名「ＮＩＳシート」、三菱化成（株）製の透湿性フィルムであるＫＴ−５０、ＬＥ−８５、ＰＡＵＦ、エクセポールＥ、三井東圧（株）製の通気性フィルムである商品名「ミューフィルムＭＰ」、日東電工（株）製の多孔質フィルム等がある。
【００２９】
透湿防水性フィルム７の外側には該透湿防水性フィルム７全体を覆うように非透湿性フィルム８が貼着される。非透湿性フィルム８の材料としては、ポリエチレン、ポリプロピレン、ナイロン、ポリエステル等の樹脂フィルムの単体または複合（ラミネート）フィルムが好適である。９は容器本体１の上端面１ｅに嵌合される蓋部材である。
【００３０】
上記構成の除湿器を使用する場合には、蓋部材９を外して非透湿性フィルム８を剥がした後、除湿器を押入、タンス等の目的箇所に設置することで、空間中の湿気が透湿防水性フィルム７を透過して受け皿３の傾斜面３ｂと容器本体１の内周面１ｃとにより形成された断面逆Ｖ字形状の収容部５内に収容された潮解性吸湿剤２により吸収され、これが潮解液４となって下部空間部１ｂの容器本体１内に貯留される。
【００３１】
潮解性吸湿剤２の減少に伴ってその上面２ａが断面逆Ｖ字形状の収容部５内を下降するためその高さ変化が顕著になり潮解性吸湿剤２の残量を目視で容易に確認することができる。
【００３２】
更に、透湿防水性フィルム７を透過した空間中の湿気が潮解性吸湿剤２の上面２ａに接触すると共に、受け皿３の天端部３ｃからも侵入して受け皿３の傾斜面３ｂの内側からも潮解性吸湿剤２の傾斜面２ｂに接触するため接触面積が大きくなり吸湿速度を速くすることができる。
【産業上の利用可能性】
【００３３】
本考案の活用例として、湿気を取る除湿器に適用でき、特に、食品庫、衣装タンス、家具、室内等で利用される除湿器用容器及びこれを使用した除湿器に適用できる。
【符号の説明】
【００３４】
１    …容器本体
１ａ  …上部空間部
１ｂ  …下部空間部
１ｃ  …内周面
１ｄ  …凸部
１ｅ  …上端面
１ｆ  …凹部
１ｇ，１ｈ …段部
２    …潮解性吸湿剤
２ａ  …上面
２ｂ…傾斜面
３    …受け皿
３ａ  …底面
3a1   …脚部
３ｂ  …傾斜面
３ｃ…天端部
４    …潮解液
５    …収容部
６    …取替えライン(残量表示手段)
７    …透湿防水性フィルム
８    …非透湿性フィルム
９    …蓋部材
【図１】
0003156836.tif 000003
【図２】
0003156836.tif 000004
【図３】
0003156836.tif 000005
【図４】
0003156836.tif 000006